(57)【特許請求の範囲】
【請求項１】
ポールの上部に低消費電力の光源として複数の高輝度ＬＥＤを有する灯具を設け、前記ポールの横の地面上に配置されたバッテリにより前記光源を点灯させる表示灯であって、
前記灯具は、前記ポールの上部にポール軸周りに回動可能に被せられ側面に前記光源を照射するための開口部を有する筒状の本体と、前記本体の内部に固定された部品取付台と、前記部品取付台に上下方向に回動自在に取付けられ前記複数の高輝度ＬＥＤを配列した基板とを備え、
前記複数の高輝度ＬＥＤを前記基板中央から両側へ移行するにつれて傾斜させることで、前記ポールの軸周りの照射方向の範囲を前記開口部の中心角に相当する角度以上にしたことを特徴とする表示灯。
【請求項２】
バッテリは太陽電池により充電される請求項１記載の表示灯。
【請求項３】
太陽電池はポール上部に設置される請求項１記載の表示灯。
【発明の詳細な説明】
【０００１】
【発明の属する技術分野】
この発明は、避難誘導表示用照明器具等の表示灯に関するものである。
【０００２】
【従来の技術】
従来、災害灯による停電時、住民に避難場所へ迅速に誘導するための表示灯として図１３に示すようなパトライトがある。このパトライトは、白熱灯光源５０を赤色グローブ５１で覆い、ミラー５２が回転する構成である。別の従来例として図１４に示すような交差点表示灯がある。この交差点表示灯は、光源としてＬＥＤ５３が用いられ、４方向に照射可能なように配置されている。
【０００３】
【発明が解決しようとする課題】
しかしながら、上記従来の避難用表示灯では、パトライトの場合、消費電力が大きく、蓄電設備も過大なものとなる。また、バッテリ駆動時間も設備上あまり長くできず、長い間点灯できないので、安定した避難誘導には不向きであった。また、設備を大型化しても充電には多大なエネルギが必要になり、省資源上の問題がある。さらに、光源の寿命が短く、定期的なメンテナンスが必要であり、非常時での信頼性も低かった。なお、バッテリ充電を太陽電池で行うことを前提とすると、消費電力が大きいことでパネル面積が大きくなり、別途太陽電池の場所が必要になる。
【０００４】
また、交差点表示灯の場合、ＬＥＤは視野角が狭く照射方向が限定されるため、全方向で高い視認性を確保するのが困難であった。
【０００５】
したがって、この発明の目的は、設備を大型化せずに長時間にわたって安定した避難誘導を行うことができ、高い視認性を確保することができる表示灯を提供することである。
【０００６】
【課題を解決するための手段】
上記課題を解決するためにこの発明の請求項１記載の表示灯は、ポールの上部に低消費電力の光源として複数の高輝度ＬＥＤを有する灯具を設け、前記ポールの横の地面上に配置されたバッテリにより前記光源を点灯させる表示灯であって、前記灯具は、前記ポールの上部にポール軸周りに回動可能に被せられ側面に前記光源を照射するための開口部を有する筒状の本体と、前記本体の内部に固定された部品取付台と、前記部品取付台に上下方向に回動自在に取付けられ前記複数の高輝度ＬＥＤを配列した基板とを備え、前記複数の高輝度ＬＥＤを前記基板中央から両側へ移行するにつれて傾斜させることで、前記ポールの軸周りの照射方向の範囲を前記開口部の中心角に相当する角度以上にした。
【０００７】
このように、ポールの上部に高輝度で低消費電力の光源を備えた灯具を設け、光源をバッテリにより点灯させるので、非常時に周辺住民に避難場所を表示し知らせることができる。光源は低消費電力であるので、バッテリによる長時間点灯が可能であり、停電時にも安定した効果をもたらす。また、灯具をポール上部へ取付けることで、より高い位置より表示を行うことにより、広範囲の住民の避難誘導が可能となる。
【０００９】
また、複数の高輝度ＬＥＤを基板に配列するとともに基板中央から両側へ移行するにつれて傾斜させることで、ポールの軸周りの照射方向の範囲を開口部の中心角に相当する角度以上にしたので、広範囲での高い視認性を確保できるとともに、少ない台数で全方向の視認性を確保できる。例えば、照射方向の範囲を９０°以上とすれば、この表示灯を４台使用することにより全方向の視認性を確保できる。
【００１１】
請求項２記載の表示灯は、請求項１において、バッテリは太陽電池により充電される。このように、バッテリは太陽電池により充電されるので、省資源に寄与する。
【００１２】
請求項３記載の表示灯は、請求項１において、太陽電池はポール上部に設置される。このように、太陽電池はポール上部に設置されるので、他の部材に障害になることなく太陽電池の設置スペースを確保できる。
【００１３】
【発明の実施の形態】
この発明の第１の実施の形態の表示灯を図１ないし図５に基づいて説明する。図１はこの発明の第１の実施の形態の表示灯の断面側面図、図２は正面図、図３は断面平面図、図４（ａ）はこの発明の実施の形態の表示灯の全体構成を示す正面図、（ｂ）はＡ−Ａ断面図、図５はこの発明の実施の形態の表示灯の全体構成を示す側面図である。
【００１４】
図４および図５において、１はポール、２はベース板、３は灯具、４は太陽電池、５はバッテリ、６は照明器具、７は飾りである。この表示灯は、ポール１の上部に高輝度で低消費電力の光源を備えた灯具３を設け、光源をバッテリ５により点灯させる。この場合、ポール１は前側に２本、後側に１本の計３本がベース板２に立設されている。前側のポール１ａの上部には照明器具６と飾り７が取付けられ、上端に太陽電池４が設置されている。後側のポール１ｂの上端には灯具３が設けてある。バッテリ５は地面上のポール１の横に配置され、太陽電池４により充電される。
【００１５】
灯具３は、図１〜図３に示すように、後側のポール１ｂの上部に被せられる筒状の本体１０と、本体１０に固定した部品取付台１１と、部品取付台１１に取付けた光源ユニット１２とを備えている。本体１０はポール１ｂの上部に挿入し、ポール１の外周面に突設した支持片１３により支持された状態でボルト１４により固定される。ボルト１４の固定位置とこれに対向する位置において、ポール１ｂと本体１０の隙間にはゴムパッキン１５が配設してある。本体１０の下端には水抜き用切欠き１６が形成してある。また、光源を照射するための開口部１７が設けられ、外側は透明で内側がプリズムのアクリル等からなるパネル１８がねじ１９により取付けてある。開口部１７の中心角は９０°以上で、１２０°が望ましい。
【００１６】
部品取付台１１は、本体１０の天板により垂下した吊持材２０により支持された底板２１およびこれに立設した対向する取付部２２を有する。取付部２２の上部にはボルト挿通穴２２ａが設けられ、光源ユニット１２の基板２３がボルト挿通穴２２ａに挿通されるボルト２４により上下方向に回動自在に取付けられる。光源ユニット１２の光源２５は、複数の高輝度ＬＥＤを互いに照射方向を違わせて設けている。この場合、複数の光輝度ＬＥＤを基板２３に配列するとともに基板２３中央から両側へ移行するにつれて光輝度ＬＥＤを傾斜させることで、ポール１ｂの軸周りの照射方向の範囲を１２０°以上にした。また、基板２３は上記のとおり回動自在に取付けられ、その可動範囲は２０°としている。
【００１７】
次に表示灯の動作について説明する。上記構成の表示灯を避難場所となる防災公園に設置する。災害等による停電時、照明器具６は使用不可となり、太陽電池４により充電されたバッテリ５により夜間、灯具３の光源２５が点灯し避難場所を表示する。この際、光源２５の高輝度ＬＥＤの素子相互に角度を付けたので、視野角を広げ、広範囲の視認性を確保した。また、この表示灯を数台使用し、全方向（３６０°）での視認性を確保できる。すなわち、この表示灯は１台につき１２０°視認可能であるので、４台使用することで実現できる。また、灯具３は水平方向に３６０°回転可能で、基板２３は上下方向可動であるので、設置場所に応じた構成が可能である。
【００１８】
以上のようにこの実施の形態によれば、非常時に周辺住民に避難場所を表示し知らせることができる。光源２５は低消費電力であるので、バッテリ５による長時間点灯が可能であり、停電時にも安定した効果をもたらす。また、灯具３をポール１上部へ取付けることで、より高い位置より表示を行うことにより、広範囲の住民の避難誘導が可能となる。
【００１９】
なお、バッテリ充電は商用電源によってもかまわない。また、表示灯１台当たりの視認性、および使用台数は変えてもよい。
【００２０】
この発明の参考例１を図６に基づいて説明する。図６はこの発明の参考例１の表示灯の斜視図、図７はその光源ユニットの概略図である。図６に示すように、ポール１の上部に灯具３を組み込み、この灯具３を設けたポール１の上端に太陽電池４を設置している。また、図７に示すように、光源ユニット１２の基板２３の形状を円筒形とすることで光源２５を放射状に全周に配置している。基板２３は分割しているが一体の円筒でもよい。また、光源ユニット１２はアクリル等のパネルで覆われている。この参考例では、全方向の高い視認性が得られる。その他の構成効果は、第１の実施の形態と同様である。
【００２１】
また、ポール１の断面形状やデザインに応じて光源ユニットの構成を変えてもよい。すなわち、図８に示すように基板２３を三角形にしてもよく、図９に示すように基板２３を角形にしてもよい。各辺の光源２５は図８では９０°以上の範囲、図９では１２０°以上の範囲でそれぞれ視認できるように向きを変えて配列されている。
【００２２】
図１０はこの発明の参考例２の表示灯の斜視図である。図１０に示すように、ポール１の上端に太陽電池の代わりに風力発電装置３０を設け、これによりバッテリを充電し、灯具３の光源を点灯させる。灯具３は参考例１と同様の構成である。なお、風力発電装置３０は第１の実施の形態にも適用可能である。
【００２３】
図１１はこの発明の参考例３の表示灯の斜視図である。図１１に示すように、ポール１にスピーカ３１を取付けている。これにより、スピーカ３１の音響設備との組み合わせでさらに効果的な避難誘導が可能となる。灯具３は参考例１と同様の構成である。なお、スピーカ３１は第１の実施の形態にも適用可能である。
【００２４】
図１２はこの発明の参考例４の表示灯の要部断面側面図である。図１２に示すように、ポール１の上部に設けた開口部３６付近に灯具３２を設けている。この灯具３２は、開口部３６下側に設け上方に照射する低電力高輝度光源３３（ＨＬＢ：ヘッドライトブロック）と、開口部３６に沿って設けたアクリル等の筒状のパネル３４と、開口部３６の上部に設けた拡散反射板３５とを備えている。拡散反射板３５は表面に凹凸を付け、小型モータで回す構成である。これにより視覚効果が向上し、避難場所への迅速な誘導が可能となる。
【００２５】
【発明の効果】
この発明の請求項１記載の表示灯によれば、ポールの上部に高輝度で低消費電力の光源を備えた灯具を設け、光源をバッテリにより点灯させるので、非常時に周辺住民に避難場所を表示し知らせることができる。光源は低消費電力であるので、バッテリによる長時間点灯が可能であり、停電時にも安定した効果をもたらす。また、灯具をポール上部へ取付けることで、より高い位置より表示を行うことにより、広範囲の住民の避難誘導が可能となる。
【００２７】
また、複数の高輝度ＬＥＤを基板に配列するとともに基板中央から両側へ移行するにつれて傾斜させることで、ポールの軸周りの照射方向の範囲を開口部の中心角に相当する角度以上にしたので、広範囲での高い視認性を確保できるとともに、少ない台数で全方向の視認性を確保できる。例えば、照射方向の範囲を９０°以上とすれば、この表示灯を４台使用することにより全方向の視認性を確保できる。
【００２９】
請求項２では、バッテリは太陽電池により充電されるので、省資源に寄与する。
【００３０】
請求項３では、太陽電池はポール上部に設置されるので、他の部材に障害になることなく太陽電池の設置スペースを確保できる。
【図面の簡単な説明】
【図１】  この発明の第１の実施の形態の表示灯の断面側面図である。
【図２】  第１の実施の形態の表示灯の正面図である。
【図３】  第１の実施の形態の表示灯の断面平面図である。
【図４】  （ａ）はこの発明の実施の形態の表示灯の全体構成を示す正面図、（ｂ）はＡ−Ａ断面図である。
【図５】  この発明の実施の形態の表示灯の全体構成を示す側面図である。
【図６】  この発明の参考例１の表示灯の斜視図である。
【図７】  図６の光源ユニットの概略図である。
【図８】  光源ユニットの別の例の概略図である。
【図９】  光源ユニットのさらに別の例の概略図である。
【図１０】  この発明の参考例２の表示灯の斜視図である。
【図１１】  この発明の参考例３の表示灯の斜視図である。
【図１２】  この発明の参考例４の表示灯の要部断面側面図である。
【図１３】  従来例の斜視図である。
【図１４】  別の従来例の斜視図である。
【符号の説明】
１ａ，１ｂ  ポール
２  ベース板
３  灯具
４  太陽電池
５  バッテリ
１０  本体
１１  部品取付台
１２  光源ユニット
２３  基板
２５  光源
【図１】
0003942780.tif 000002
【図２】
0003942780.tif 000003
【図３】
0003942780.tif 000004
【図４】
0003942780.tif 000005
【図５】
0003942780.tif 000006
【図６】
0003942780.tif 000007
【図７】
0003942780.tif 000008
【図８】
0003942780.tif 000009
【図９】
0003942780.tif 000010
【図１０】
0003942780.tif 000011
【図１１】
0003942780.tif 000012
【図１２】
0003942780.tif 000013
【図１３】
0003942780.tif 000014
【図１４】
0003942780.tif 000015